(57)【特許請求の範囲】
【請求項１】
勾配を有する底面が内壁面に囲まれ、前記底面の勾配下方部に排水口が形成された排水構造に設置されるドレン装置であって、
前記排水口を覆うストレーナと、前記内壁面のうち前記排水口の周囲部分の内壁面に沿って立ち上がる立上り部と、この立上り部と前記ストレーナとの間に設けられ前記立上り部の上端から前記ストレーナに向かって下がる勾配が形成された勾配部とを備える、ことを特徴とするドレン装置。
【請求項２】
請求項１に記載のドレン装置において、前記勾配部は前記ストレーナに向かってすり鉢状に下がる形状とされ、前記立上り部はその上端に前記勾配部と連続する略水平の平坦部を有する、ことを特徴とするドレン装置。
【請求項３】
請求項１または２に記載のドレン装置において、前記立上り部は前記内壁面に密着している、ことを特徴とするドレン装置。
【請求項４】
請求項１から３のいずれかに記載のドレン装置において、前記排水構造は平面矩形の溝状である、ことを特徴とするドレン装置。
【請求項５】
請求項１から４のいずれかに記載のドレン装置において、前記ストレーナと、前記立上り部と、前記勾配部とは一体成形されている、ことを特徴とするドレン装置。
【請求項６】
請求項５に記載のドレン装置において、前記ストレーナは前記排水口に係合可能とされている、ことを特徴とするドレン装置。
【発明の詳細な説明】
【０００１】
【発明の属する技術分野】
本発明は、建物のバルコニーや軒先などで雨水等を排水する目的で設けられるドレン装置に関する。
【０００２】
【背景技術】
住宅等の用途に供せられる建物のバルコニーや軒先には、雨水等を排水するための排水構造として側溝や樋が設けられる。側溝や樋にはその長さ方向一端側に向かって下がる水勾配が形成されるとともに、その勾配方向下側端部に排水口が設けられている。また、排水口は、枯れ葉やゴミなどによる目詰まりを防止するためにスリット形状などをしたストレーナにより覆われている（従来例：特開平８−１８９１５１）。
通常、側溝や樋の水勾配下方部で排水口の周囲部分では、その製作や配水管等の取り付けの簡易さから、底面に勾配を設けないで平面矩形状とされている。
【０００３】
【発明が解決しようとする課題】
上述の従来例では、側溝の水勾配下方端に底面が水平で平面矩形の水溜部を設け、その水溜部の側面あるいは底面に設けた排水口から雨水等を排水することとされている。底面に排水口を設ける場合、その取り付け作業に必要な空き寸法などの条件、あるいは、排水口を覆うストレーナの寸法などの制約から、水勾配下方端の内壁面に沿って排水口を取り付けることは困難で、内壁面から離れた位置に排水口は設けられることになる。
また、通常、排水口の形状は円形であるのに対し水溜部は平面矩形状であることとも合わせて、水勾配下方端の内壁面と排水口との間の部分には水が溜まりやすくなり、排水されない場合がある。
【０００４】
本発明は、排水構造に雨水等が溜まったままにならず確実に排水可能な、ドレン装置を提供することを目的とする。
【０００５】
【課題を解決するための手段】
そのため、請求項１に記載された本発明のドレン装置は、図面を参照して説明すると、勾配を有する底面２１が内壁面２２に囲まれ、前記底面の勾配下方部に排水口２３が形成された排水構造２０に設置されるドレン装置３０であって、前記排水口を覆うストレーナ３１と、前記内壁面のうち前記排水口の周囲部分の内壁面に沿って立ち上がる立上り部３５と、この立上り部と前記ストレーナとの間に設けられ前記立上り部の上端から前記ストレーナに向かって下がる勾配が形成された勾配部４０とを備えることを特徴とする。
【０００６】
以上の構成を備える本発明では、排水構造の水勾配下方端部の内壁面と排水口との間に、内壁面に沿った立上り部の上端縁から排水口を覆うストレーナに向かって下がる勾配を持つ勾配部を有するドレン装置を設置することとしている。
したがって、水勾配下方端部の内壁面と排水口との間に水が溜まらず、勾配部の上の水を確実に排水できるようになる。
【０００７】
請求項２に記載された本発明のドレン装置は、請求項１に記載のドレン装置において、前記勾配部４０は前記ストレーナ３１に向かってすり鉢状に下がる形状とされ、前記立上り部３５はその上端に前記勾配部と連続する略水平の平坦部３６を有することを特徴とする。
このようにすれば、勾配部の下り勾配は必ずストレーナに向かうこととなり、より確実に勾配部の上の水を排水できるようになる。さらに、機能的で違和感のない良好な外観を得られる。
【０００８】
請求項３に記載された本発明のドレン装置は、請求項１または２に記載のドレン装置において、前記立上り部３５は前記内壁面２２に密着していることを特徴とする。
このようにすれば、内壁面と立上り部の間に雨水等が侵水することがなく、より確実に排水可能となる。
【０００９】
請求項４に記載された本発明のドレン装置は、請求項１から３のいずれかに記載のドレン装置において、前記排水構造２０は平面矩形の溝状であることを特徴とする。
このようにすれば、立上り部が排水口を囲むように設けることができ、より確実に排水可能となる。
【００１０】
請求項５に記載された本発明のドレン装置は、請求項１から４のいずれかに記載のドレン装置において、前記ストレーナ３１と、前記立上り部３５と、前記勾配部４０とは一体成形されていることを特徴とする。
このようにすれば、ドレン装置の製造および設置が容易になり、製造コストの低減と施工手間の軽減を図ることができる。
【００１１】
請求項６に記載された本発明のドレン装置は、請求項５に記載のドレン装置において、前記ストレーナ３１は前記排水口２３に係合可能とされていることを特徴とする。
このようにすれば、ドレン装置の設置がより容易で確実になり、ずれたり外れたりすることがない。
【００１２】
【発明の実施の形態】
以下、本発明の実施形態を図面に基づいて説明する。
図１には本発明の実施形態を適用した建物が示されている。図１において、建物１は基礎２とその上に固定される２階建ての建物本体３と、その建物本体３の上に載置される屋根４とから構成されている。建物本体３の２階の１側面には建物本体３から突き出す形でバルコニー１０が形成される。
【００１３】
バルコニー１０は、建物本体３にその１辺を固定される平面矩形状のバルコニー床１１と、このバルコニー床１１の他の３辺から立ち上がるバルコニー壁１２と、このバルコニー壁１２の上端縁に取り付けられる手摺り１３とから形成される。
バルコニー床１１の建物本体３とは反対側の１辺に沿って一方向の水勾配を有する排水構造２０が設置される。排水構造２０の水勾配下方端部には排水口２３が設けられ、その下方に配水管１４が接続される。配水管１４はバルコニー床１１を上下に貫通し、その底面に沿って建物本体３の方向に略水平に伸延され、建物本体３に沿って上下に設置される排水竪樋１５の上端に接続される。
【００１４】
図２には本実施形態を適用した排水構造の水勾配下方端部周辺の斜視図が示され、図３には本実施形態を適用した排水構造の断面図が示されている。
図２、図３において、排水構造２０は鋼板等を曲げ加工等により、一方向に下がる水勾配を有する底面２１と、この底面２１の四方を囲む内壁面２２とで形成されている。排水構造２０の平面形状は全長に渡り幅がほぼ一定の矩形の溝状であり、水勾配下方端部の内壁面２２と所定の寸法離れた位置に平面円形の排水口２３が設けられている。また、底面２１のうち排水口２３の近傍は略水平な底面平坦部２１Ａが形成されている。
【００１５】
排水口２３はストレーナ３１で覆われている。水勾配下方端部の内壁面２２に沿って立上り部３５が立ち上げられ、この立上り部３５の上端からストレーナ３１に向かって平坦部３６が略水平に伸延されており、この平坦部３６の先端からストレーナ３１に向かって下がる勾配を持つ勾配部４０が設けられている。これらの、ストレーナ３１と平坦部３６を含めた立上り部３５と勾配部４０とが、鋼板等の曲げ加工等による一体成形されることでドレン構造３０は構成される。
【００１６】
図４〜図６にはそれぞれ本実施形態のドレン構造の斜視図、平面図、断面図が示されている。
図４〜図６において、ドレン構造３０のストレーナ３１のうち、排水構造２０の底面平坦部２１Ａの上に露出する部分がカバー部３２であり、このカバー部３２は排水口２３等が詰まる原因となるものを通さず排水を行うためのスリット３３を有する。スリット３３はカバー部３２の側部周面に所定の間隔および幅を有して設けられる。
また、ストレーナ３１は、排水口２３の中に挿入され係合される構成であり、ドレン構造３０を排水構造２０に固定するための係合部３４を備える。係合部３４は、排水口２３の内径に接する程度の位置に設けられた４本の棒状部材で形成されている。
【００１７】
立上り部３５は排水口２３の概中心より水勾配下方の内壁面２２に沿って、平面視で略コ字形を有し所定の高さまで立ち上げられ、内壁面２２に密着されている。立上り部３５の上端から平坦部３６が略水平に伸延されており、この平坦部３６と勾配部４０とは、排水口２３と中心をほぼ同じくし立上り部３５の略コ字形の開口端部を直径とする、略半円形状の線分により区分されている。
勾配部４０は、前記の略半円形状の線分からストレーナ３１のカバー部３２の周縁下端部まで下がるすり鉢状の勾配を有し、カバー部３２と連続して一体とされる。
【００１８】
バルコニー床１１上の雨水等は排水構造２０に流れ込み、勾配を持つ底面２１を水勾配下方へ向かって流れ、底面平坦部２１Ａに達する。そこで、多くの雨水等はストレーナ３１のスリット３３を通って、排水口２３へ流れ込み、配水管１４から排水竪樋１５へと流れ落ちて排水されることになる。
しかし、一部の雨水等は底面平坦部２１Ａに流れ込んだ際、ストレーナ３１の脇を通り過ぎて水勾配下方端部の内壁面２２側へ流れようとする。一方、排水構造２０に流れ込まずストレーナ３１より水勾配下方側から流れ込んでくる雨水等もある。これらの雨水等はドレン構造３０の勾配部４０によりストレーナ３１方向へ導かれ、排水口２３から前述と同様に排水されることとなる。
【００１９】
従って、本実施形態の構成によれば以下の(１)〜(６)の効果が得られる。
(１)排水構造２０の水勾配下方端部の内壁面２２と排水口２３との間に、内壁面２２に沿った立上り部３５の上端から排水口２３を覆うストレーナ３１に向かってすり鉢状に下がる勾配を持つ勾配部４０を有するドレン構造３０を設置することで、水勾配下方端部の内壁面２２と排水口２３との間に水が溜まらず、勾配部４０の上の水を確実に排水できるようになる。さらに、ドレン構造３０は機能的で違和感のない良好な外観を得られる。
(２)立上り部３５は内壁面２２に密着しているので、内壁面２２と立上り部３５の間に雨水等が侵水することがなく、より確実に排水可能となる。
【００２０】
(３)排水構造２０は平面矩形の溝状であるので、立上り部３５が排水口２３を囲むようにドレン構造３０を設けることができ、より確実に排水可能となる。
(４)ストレーナ３１と立上り部３５と勾配部４０とは一体成形されているので、ドレン構造３０の製造および設置が容易になり、製造コストの低減と施工手間の軽減を図ることができる。
【００２１】
(５)ストレーナ３１は排水口２３に係合部３４で係合されているので、ドレン構造３０の排水構造２０への設置がより容易で確実になり、ずれたり外れたりすることがない。
(６)ストレーナ３１の係合部３４は複数の棒状部材で構成されているので、簡単な構造のため製造が容易である上に、設置の際に棒状部材がたわむことでより容易に排水口に設置することが可能となる。
【００２２】
なお、本発明は前述の実施形態に限定されるものではなく、本発明の目的を達成できる範囲での変形、改良等は本発明に含まれるものである。例えば、前記実施形態では建物２階に設置されるバルコニーの床面に設ける側溝形式の排水構造に適用する場合について説明を行ったが、軒先での樋における排水構造としても適用可能である。
また、前記実施形態では一方向にのみ水勾配を有する平面矩形溝形の排水構造に適用したが、１箇所の排水口に二方向から水勾配が形成されているような場合や、排水口の周囲の底面平坦部が平面的に広がった水溜部を有する排水構造に対しても適用可能である。
【００２３】
例えば、図７の(Ａ)〜(Ｄ)には本発明の変形例のドレン構造が示されている。図７の(Ａ)〜(Ｄ)において、排水構造は平面形が略正方形で底面が略水平の水溜部２６と、水溜部２６へ向かって下がる水勾配を有する底面の溝部２５とから形成され、溝部２５と水溜部２６とは連続した内壁面２２で囲まれている。水溜部２６の１辺の長さは溝部２５の幅寸法の略２倍であり、水溜部２６のほぼ中央に排水口２３が設けられている。なお、図中矢印は下り勾配を示し、ハッチングはバルコニーの壁等を示すこととする。
【００２４】
図７(Ａ)において、溝部２５は一方向の下り勾配を有し、水溜部２６へは片側の内壁面２２が一直線となるように接続されている。水溜部２６の平面視で溝部２５と接続する近辺の一角を除いて、残りの略３／４の部分にドレン構造３０Ａが設置されている。
ドレン構造３０Ａは、排水口を覆うストレーナ３１Ａと、水溜部２６の溝部２５と接続する近辺を除く内壁面２２に沿って立ち上げられる立上り部３５Ａと、立上り部３５Ａの上端からストレーナ３１Ａの方向へ略水平に延びる平坦部３６Ａと、平坦部３６Ａと連続してストレーナ３１Ａに向かってすり鉢状の下り勾配を持つ勾配部４０Ａとから構成される。
【００２５】
図７の(Ｂ)〜(Ｃ)において、水溜部２６には二方向からの溝部２５が接続されている。
図７(Ｂ)において、２つの溝部２５と水溜部２６は片側の内壁面が一直線となるように、水溜部２６に対し互いに反対側から接続されている。水溜部２６の溝部２５が接続される側と反対側の略半分の部分にドレン構造３０Ｂが設置されている。
ドレン構造３０Ｂは、図７(Ａ)の場合とほぼ同様にストレーナ３１Ｂ、立上り部３５Ｂ、平坦部３６Ｂおよび勾配部４０Ｂによって構成される。
【００２６】
図７(Ｃ)において、２つの溝部２５は水溜部２６に対して直交する二方向から接続されている。水溜部２６の平面視でそれぞれの溝部２５と接続する近辺を除いて、対角線上に対向するようにドレン構造３０Ｃが設置されている。
ドレン構造３０Ｃは排水口を覆うストレーナ３１Ｃを中心にして対向する他の部分は、上述の図７(Ａ)および(Ｂ)の場合とほぼ同様に、立上り部３５Ｃ、平坦部３６Ｃおよび勾配部４０Ｃによって構成される。
【００２７】
図７(Ｄ)において、２つの溝部２５は水溜部２６に対して直交する二方向から接続されている。水溜部２６の平面視でそれぞれの溝部２５と接続する近辺を除いて、残りの略３／４の部分にドレン構造３０Ｄが設置されている。
ドレン構造３０Ｄは、図７(Ａ)の場合とほぼ同様にストレーナ３１Ｄ、立上り部３５Ｄ、平坦部３６Ｄおよび勾配部４０Ｄによって構成される。
【００２８】
従って、図７で示される変形例の構成によれば、排水構造の水勾配下方端部に水溜部２６を設けることで、排水構造に大量の雨水等が流れ込んだ場合においても溝部２５に雨水等が溢れることがなく、また、ドレン構造３０Ａ〜３０Ｄにより確実に排水される。
しかも、図７(Ｂ)〜(Ｃ)に示すように、二方向から溝部２５が接続されるような場合においても、本発明のドレン構造３０Ｂ〜３０Ｄはそれぞれの場合に応じた形態とすることができるので、様々な排水構造に対応して確実な排水が可能となる。
【００２９】
また、前記実施形態では排水構造およびドレン構造は鋼板等の曲げ加工により製作するものとしたが、材料はプラスチックや合成樹脂製でもよく、加工方法もプレス加工、鋳型加工あるいは射出成形などでもよい。また、ドレン構造はストレーナ、立上り部および勾配部を一体成形としたが、各部ごとに別々に製造し組み立てることで形成することも可能である。
ストレーナの排水口への係合部は４本の棒状部材としたが、排水口の内径より若干小さい外形を持つ円筒状部材でもよく、このようにすることで強度が高くなり、より確実に係合することが可能になる。
【００３０】
あるいは、前記実施形態のドレン構造のうちストレーナは、図８の(Ａ)，(Ｂ)に示す変形例のようにすることも可能である。図８において、一体成形のドレン構造１３０のストレーナ１３１は、カバー部１３２、スリット１３３および係合部１３４から構成される。これらの各部は１つの連続する円筒状の周面と上面とを有する材料から形成されるものである。即ち、前記材料の周面下方から切り込みを入れることでスリット１３３を形成するが、その際、上部を切り離さずに下方に折り曲げることで係合部１３４を形成する。
このような構造とすることで、ストレーナ自体の加工が容易で、かつ、材料コストを軽減することができるとともに、ドレン構造１３０を一体成形する際に製造を容易に行うことが可能となる。
【００３１】
【発明の効果】
このような本発明によれば以下の効果がある。
請求項１の発明により、排水構造の水勾配下側端部の内壁面と排水口との間に、内壁面に沿った立上り部の上端から排水口を覆うストレーナに向かって下がる勾配を持つ勾配部を設けることで、水勾配下側端部の内壁面と排水口との間に水が溜まらず、勾配部の上の水を確実に排水できるようになる。
【００３２】
請求項２の発明により、勾配部はストレーナに向かってすり鉢状に下がる形状とされ、立上り部はその上端が勾配部に連続する略水平の平坦部を有するので、勾配部の下り勾配は必ずストレーナに向かうこととなり、より確実に勾配部の上の水を排水できるようになる。さらに、機能的で違和感のない良好な外観を得られる。
請求項３の発明により、立上り部は内壁面に密着しているので、内壁面と立上り部の間に雨水等が侵水することがなく、より確実に排水可能となる。
【００３３】
請求項４の発明により、排水構造は平面矩形の溝状であるので、立上り部が排水口を囲むように設けることができ、より確実に排水可能となる。
請求項５の発明により、ストレーナと立上り部と勾配部とは一体成形されているので、ドレン構造の製造および設置が容易になり、製造コストの低減と施工手間の軽減を図ることができる。
請求項６の発明により、ストレーナは排水口に係合可能とされているので、ドレン構造の設置がより容易で確実になり、ずれたり外れたりすることがない。
【図面の簡単な説明】
【図１】本発明の第一実施形態を適用した建物の全体図。
【図２】前記実施形態を適用した建物のバルコニーの排水構造要部斜視図。
【図３】前記実施形態を適用した排水構造の断面図。
【図４】前記実施形態のドレン構造の斜視図。
【図５】前記実施形態のドレン構造の平面図。
【図６】前記実施形態のドレン構造の断面図。
【図７】  (Ａ)〜(Ｄ)は本発明の変形例を示す平面図。
【図８】  (Ａ)，(Ｂ)は本発明の変形例を示す平面図および断面図。
【符号の説明】
２０    排水構造
２１    底面
２２    内壁面
２３    排水口
３０    ドレン構造
３１    ストレーナ
３５    立上り部
３６    平坦部
４０    勾配部
【図１】
0003924145.tif 000002
【図２】
0003924145.tif 000003
【図３】
0003924145.tif 000004
【図４】
0003924145.tif 000005
【図５】
0003924145.tif 000006
【図６】
0003924145.tif 000007
【図７】
0003924145.tif 000008
【図８】
0003924145.tif 000009